(57)【要約】【課題】燃料電池を用いた給電への切り替えが瞬断なく行える技術を提供する。【解決手段】一実施形態に係る電力制御方法は、デマンドレスポンスの発動予測に基づいたデマンドレスポンスの発動予定時刻を取得する取得部と、取得部における発動予定時刻の取得に応じて発動予定時刻に又は該発動予定時刻の前に燃料電池が起動状態に至ることができるタイミングにおいて燃料電池の起動を発動予定時刻の前に予め開始する開始部と、デマンドレスポンスの発動通知を受信する受信部と、受信部における発動通知の受信に応じて外部負荷側への給電を燃料電池側からの給電に切り替える切替部とを備える。【選択図】図１
2020078159.tif 000002
【特許請求の範囲】
【請求項１】
デマンドレスポンスの発動予測に基づいたデマンドレスポンスの発動予定時刻を取得する取得部と、
前記取得部における前記発動予定時刻の取得に応じて、該発動予定時刻に又は該発動予定時刻の前に燃料電池が起動状態に至ることができるタイミングにおいて該燃料電池の起動を該発動予定時刻の前に予め開始する開始部と、
デマンドレスポンスの発動通知を受信する受信部と、
前記受信部における前記発動通知の受信に応じて、外部負荷側への給電を前記燃料電池側からの給電に切り替える切替部と、
を備える電力制御回路。
【請求項２】
前記燃料電池の第１出力電圧と該燃料電池の直流バスに接続された機器の第２出力電圧とを調整することを用いて、該直流バスを介して前記機器と並列に接続された蓄電池の充電容量及び充電速度を調整する調整部を更に備え、
前記調整部は、前記蓄電池への充電が前記燃料電池の起動開始から行われる場合に前記発動予定時刻の経過のタイミングにおいて充電完了となるように、該蓄電池の充電容量及び充電速度を調整する、
請求項１に記載の電力制御回路。
【請求項３】
前記調整部は、前記燃料電池の直流バスに接続された蓄電池への充電を前記燃料電池の起動開始から起動状態に至るまで該燃料電池が継続して行えるために、該蓄電池の充電容量及び充電速度を調整する、
請求項２に記載の電力制御回路。
【請求項４】
商用電力系統側の電圧を監視する監視部を更に備え、
前記監視部は、商用電力系統側の電圧喪失を検知すると、停電が生じたと判定し、
前記開始部は、停電が生じたと前記監視部が判定した場合に、前記燃料電池の起動を開始し、
前記切替部は、停電が生じたと前記監視部が判定した場合に、前記外部負荷側への給電を前記燃料電池側からの給電に切り替え、
前記燃料電池は、停電が生じたと前記監視部が判定した場合に前記外部負荷側への給電が該燃料電池側からの給電に切り替わると、起動状態に至るまで該燃料電池の直流バスに接続された蓄電池から給電を受けつつ当該給電を該外部負荷側に供給する、
請求項１〜３の何れか一項に記載の電力制御回路。
【請求項５】
前記監視部は、前記商用電力系統側の電圧喪失を検知してから予め設定された待機期間が経過した後に、停電が生じたと判定する、
請求項４に記載の電力制御回路。
【請求項６】
燃料電池と、
前記燃料電池側及び商用電力系統側と外部負荷側とに接続された給電切替回路と、
前記燃料電池及び前記給電切替回路を制御する電力制御回路と、
を備え、
前記電力制御回路は、
デマンドレスポンスの発動予測に基づいたデマンドレスポンスの発動予定時刻を取得する取得部と、
前記取得部における前記発動予定時刻の取得に応じて、該発動予定時刻に又は該発動予定時刻の前に前記燃料電池が起動状態に至ることができるタイミングにおいて該燃料電池の起動を予め開始する開始部と、
デマンドレスポンスの発動通知を受信する受信部と、
前記商用電力系統側の電圧を監視し、該商用電力系統側の電圧喪失を検知すると、停電が生じたと判定する監視部と、
前記受信部における前記発動通知の受信に応じて、及び、前記監視部における停電の判定に応じて、前記外部負荷側への給電を前記燃料電池側からの給電に切り替える切替部と、
を備える、
電力制御システム。
【請求項７】
デマンドレスポンスの発動予測に基づいたデマンドレスポンスの発動予定時刻の取得に応じて、該発動予定時刻に又は該発動予定時刻の前に燃料電池が起動状態に至ることができるタイミングにおいて該燃料電池の起動を該発動予定時刻の前に予め開始し、
デマンドレスポンスの発動通知の受信に応じて、外部負荷側への給電を前記燃料電池側からの給電に切り替える、
電力制御方法。
【発明の詳細な説明】
【技術分野】
【０００１】
本発明の実施形態は、電力制御回路、電力制御システム、及び、電力制御方法に関する。
【背景技術】
【０００２】
電力供給事業者から需要家に電力消費抑制要請を実施するデマンドレスポンス（Demand  Response：DR）と称される電力需給調整が注目されている。特許文献１には、デマンドレスポンスに応じた電力管理を行うための電力管理システム等に係る技術が開示されている。
【先行技術文献】
【特許文献】
【０００３】
【特許文献１】特開２０１８−３３２７３号公報
【発明の概要】
【発明が解決しようとする課題】
【０００４】
デマンドレスポンスを用いた電力需給調整に燃料電池を用いる場合、デマンドレスポンスを要請する要請信号をトリガとして燃料電池を起動することを用いて商用電力を抑制する方法が考えられる。本開示では、燃料電池を用いた給電への切り替えが瞬断なく行える技術を提供する。
【課題を解決するための手段】
【０００５】
例示的実施形態においては、電力制御回路が提供される。この電力制御回路は、取得部と開始部と受信部と切替部とを備える。取得部は、デマンドレスポンスの発動予測に基づいたデマンドレスポンスの発動予定時刻を取得する。開始部は、取得部における発動予定時刻の取得に応じて、発動予定時刻に又は発動予定時刻の前に燃料電池が起動状態に至ることができるタイミングにおいて、燃料電池の起動を発動予定時刻の前に予め開始する。受信部は、デマンドレスポンスの発動通知を受信する。切替部は、受信部における発動通知の受信に応じて、外部負荷側への給電を燃料電池側からの給電に切り替える。
【０００６】
従って、デマンドレスポンスの発動予定時刻の取得に応じて燃料電池の起動を発動予定時刻の前に予め開始し、発動予定時刻に又は発動予定時刻の前には燃料電池が起動状態に至ることができる。従って、発動予定時刻には既に燃料電池が起動状態となっており、よって商用電力系統側と燃料電池側との間でデマンドレスポンスに応じた供給電力の切り替えがスムーズに行い得る。
【発明の効果】
【０００７】
本開示によれば、燃料電池を用いた給電への切り替えが瞬断なく行える。
【図面の簡単な説明】
【０００８】
【図１】例示的実施形態に係る電力制御回路４ｈを含む電力制御システム１の構成の一例を示す図である。
【図２】図１に示す電力制御回路４ｈの機能の一例を示すブロック図である。
【図３】図１に示す電力制御回路４ｈの動作の一例を示すフローチャートである。
【図４】図１に示す電力制御回路４ｈが備えるハードウェア構成の一例を示す図である。
【発明を実施するための形態】
【０００９】
以下、図面を参照して種々の実施形態について詳細に説明する。なお、各図面において同一または相当の部分に対しては同一の符号を附すこととする。
【００１０】
図１を参照して例示的実施形態に係る電力制御システム１の構成を説明する。電力制御システム１は、商用電力系統２、交流分電盤３、燃料電池装置４、無停電電源装置５、外部負荷６を備える。商用電力系統２は交流分電盤３に接続され、交流分電盤３は燃料電池装置４に接続される。燃料電池装置４は無停電電源装置５に接続され、無停電電源装置５は外部負荷６に接続される。
【００１１】
商用電力系統２は、商用の交流電力を供給する。交流分電盤３は、商用電力系統２から供給される交流電力を二つ以上の系統に分電する。
【００１２】
燃料電池装置４は、停電センサ４ａ、逆潮流防止回路４ｂ、コンバータ４ｃ、燃料電池４ｄを備える。燃料電池装置４は、更に、インバータ４ｅ、給電切替回路４ｆ、蓄電池４ｇ、電力制御回路４ｈ、直流バス４ｉを備える。
【００１３】
停電センサ４ａは、交流分電盤３に接続される。逆潮流防止回路４ｂは、停電センサ４ａに接続される。コンバータ４ｃは、逆潮流防止回路４ｂに接続される。
【００１４】
燃料電池４ｄは、コンバータ４ｃと蓄電池４ｇとに接続される。蓄電池４ｇとコンバータ４ｃとは、直流バス４ｉを介して燃料電池４ｄに並列に接続される。燃料電池４ｄは、更にインバータ４ｅに接続される。
【００１５】
インバータ４ｅは、給電切替回路４ｆに接続される。給電切替回路４ｆには、インバータ４ｅと交流分電盤３とが並列に接続される。給電切替回路４ｆは、無停電電源装置５に接続される。無停電電源装置５は、外部負荷６に接続される。
【００１６】
停電センサ４ａは、交流分電盤３から受ける商用電力系統２側の電圧を検出し、検出結果を電力制御回路４ｈに通知する。逆潮流防止回路４ｂは、電力制御回路４ｈからの指示に応じて、燃料電池装置４側を、商用電力系統２側から切り離す、又は、商用電力系統２側に接続する。
【００１７】
コンバータ４ｃは、燃料電池４ｄからの直流バス４ｉに接続される。コンバータ４ｃは、商用電力系統２から供給される交流電力を直流電力に変換する。コンバータ４ｃは、電力制御回路４ｈからの指示に応じて駆動する。コンバータ４ｃは、電力制御回路４ｈからの指示に応じて、コンバータ４ｃの出力電圧（第２出力電圧）を変更し得る。
【００１８】
燃料電池４ｄは、固形酸化物形燃料電池（SOFC）、固体高分子形燃料電池（PEFC）等の燃料電池であり得る。燃料電池４ｄは、直流電圧を出力する。燃料電池４ｄは、電流センサ４ｄ１を備える。燃料電池４ｄは、電力制御回路４ｈからの指示に応じて駆動する。燃料電池４ｄは、電力制御回路４ｈからの指示に応じて、燃料電池４ｄの出力電圧（第１出力電圧）を変更し得る。
【００１９】
電流センサ４ｄ１は、燃料電池４ｄの出力電流を検出し、燃料電池４ｄは、電流センサ４ｄ１の検出結果に基づいて燃料電池４ｄの起動（運転）の停止等を行う。燃料電池４ｄの起動とは、燃料電池４ｄを起動させることを意味する。燃料電池４ｄは、電流センサ４ｄ１において検出された出力電流が予め設定された基準値を下回ると、停止する。
【００２０】
インバータ４ｅは、燃料電池４ｄから出力される直流電力を交流電力に変換する。インバータ４ｅは、電力制御回路４ｈからの指示に応じて駆動する。
【００２１】
給電切替回路４ｆは、燃料電池４ｄ側及び商用電力系統２側と外部負荷６側とに接続される。給電切替回路４ｆは、電力制御回路４ｈからの指示に応じて駆動する。給電切替回路４ｆは、電力制御回路４ｈからの指示に応じて、外部負荷６側への給電を、燃料電池４ｄ側からの給電（インバータ４ｅから出力される交流電圧の給電）と、商用電力系統２側からの給電との何れかに切り替える。
【００２２】
蓄電池４ｇは、直流バス４ｉを介してコンバータ４ｃと燃料電池４ｄに並列に接続される。蓄電池４ｇは、蓄電池４ｇの充電容量等の状態を、電力制御回路４ｈに通知する。
【００２３】
電力制御回路４ｈは、例えばHome  Energy  Management  System（HEMS）として機能し得る。電力制御回路４ｈは、物理的には、CPU、ROM、RAM、通信装置等を含むハードウエア（図４参照）を備え得る。電力制御回路４ｈは、このようなハードウエアを用いて、電力制御回路４ｈが行う動作・機能を実現する。
【００２４】
電力制御回路４ｈは、商用電力系統の電圧（停電センサ４ａからの検出結果）を停電センサ４ａから受ける。電力制御回路４ｈは、蓄電池４ｇの充電容量等の状態を示す通知を蓄電池４ｇから受ける。電力制御回路４ｈは、逆潮流防止回路４ｂ、コンバータ４ｃ、インバータ４ｅ、燃料電池４ｄ、給電切替回路４ｆの各々の動作を制御する。
【００２５】
電力制御回路４ｈは、デマンドレスポンスの発動を予測した発動予測に基づいたデマンドレスポンスの発動予定時刻（デマンドレスポンスの発動を通知する発動通知が電力制御回路４ｈによって受信されることが予定される時刻を示すデータ）を取得（算出）する。
【００２６】
この発動予定時刻は、電力供給事業者が提示する電力予測使用率、卸電力取引所における電力卸価格等、電力需要に関連性の高いパラメータを用いて、ニューラルネットワークやロジスティック回帰を用いて算出され得る。電力制御回路４ｈは、インターネットに接続が可能であり、例えば、外部のアグリゲータサーバからデマンドレスポンスの発動通知を受信する。
【００２７】
無停電電源装置５は、給電切替回路４ｆにおいて給電の切り替えがある場合であっても、瞬断無く外部負荷６側に給電を行う回路を備える。無停電電源装置５は、例えばUninterruptible  Power  Supply（UPS）と称される装置であり得る。
【００２８】
外部負荷６は、無停電電源装置５に接続された配電盤と、この配電盤に接続された複数の負荷装置とを備える。電力制御システム１が例えば通信事業者の基地局に用いられる装置である場合、複数の負荷装置は、一例としてバックアップ機器、照明機器、空調機器等を含み得る。
【００２９】
電力制御回路４ｈは、図２に示すように、機能的には、取得部４ｈ１、開始部４ｈ２、受信部４ｈ３、切替部４ｈ４、調整部４ｈ５、監視部４ｈ６、停止部４ｈ７を備える。
【００３０】
取得部４ｈ１は、デマンドレスポンスの発動予測に基づいたデマンドレスポンスの発動予定時刻を取得（算出）する。
【００３１】
開始部４ｈ２は、取得部４ｈ１における発動予定時刻の取得に応じて、発動予定時刻に又は発動予定時刻の前に燃料電池４ｄが起動状態に至ることができるタイミングで、燃料電池４ｄの起動を発動予定時刻の前に予め開始する。開始部４ｈ２は、燃料電池４ｄの起動の開始の指示として、起動信号を燃料電池４ｄに送出する。
【００３２】
受信部４ｈ３は、外部のアグリゲータサーバから、発動通知を受信する。切替部４ｈ４は、逆潮流防止回路４ｂを駆動して、商用電力系統２側と燃料電池４ｄ側との接続のオン・オフを行う。切替部４ｈ４は、給電切替回路４ｆを駆動して、外部負荷６側への給電を燃料電池４ｄ側からの給電に切り替える。
【００３３】
特に、切替部４ｈ４は、受信部４ｈ３におけるデマンドレスポンスの発動通知の受信に応じて、及び、監視部４ｈ６における停電の判定に応じて、外部負荷６側への給電を燃料電池４ｄ側からの給電に切り替える。
【００３４】
調整部４ｈ５、コンバータ４ｃ及び燃料電池４ｄの各々の出力電圧を調整する。調整部４ｈ５は、燃料電池４ｄの第１出力電圧とコンバータ４ｃの第２出力電圧とを調整することを用いて、蓄電池４ｇの充電容量及び充電速度を調整する。
【００３５】
調整部４ｈ５は、燃料電池４ｄの起動開始から起動状態に至るまで蓄電池４ｇへの充電を燃料電池４ｄが継続して行えるために、蓄電池４ｇの充電容量及び充電速度を調整する。
【００３６】
従って、燃料電池４ｄの起動開始から起動状態に至るまで燃料電池４ｄの動作を停止せずに継続させ得る。このため、外部負荷６側への給電が燃料電池４ｄ側からの給電に切り替えられて燃料電池４ｄが起動状態に至ると、外部負荷６側への給電が燃料電池４ｄ側から瞬断無く可能となる。
【００３７】
調整部４ｈ５は、蓄電池４ｇへの充電が燃料電池４ｄの起動開始から行われる場合に発動予定時刻の経過のタイミングにおいて充電完了となるように、蓄電池４ｇの充電容量及び充電速度を調整し得る。蓄電池４ｇへの充電が完了すると、燃料電池４ｄの出力電流が基準値を下回るので、燃料電池４ｄは停止する。
【００３８】
従って、デマンドレスポンスの発動予定時刻が経過してもデマンドレスポンスの発動通知が受信されない場合、電力制御回路４ｈからの指示（電力制御回路４ｈが行う管理）が無くても、燃料電池４ｄを停止させ得る。
【００３９】
監視部４ｈ６は、停電センサ４ａからの検出結果（商用電力系統２側の電圧）を用いて、商用電力系統２側の電圧を監視する。監視部４ｈ６は、商用電力系統２側の電圧喪失を検知する。監視部４ｈ６は、商用電力系統２側の電圧喪失を検知すると、停電が生じたと判定する。監視部４ｈ６は、商用電力系統２側の電圧復帰を検知すると、復電されたと判定する。
【００４０】
開始部４ｈ２は、停電が生じたと監視部４ｈ６が判定した場合に、燃料電池４ｄに起動信号を送出して燃料電池４ｄの起動を開始する。切替部４ｈ４は、停電が生じたと監視部４ｈ６が判定した場合に、給電切替回路４ｆを駆動して外部負荷６側への給電を燃料電池４ｄ側からの給電に切り替える。
【００４１】
燃料電池４ｄは、停電が生じたと監視部４ｈ６が判定した場合に外部負荷６側への給電が燃料電池４ｄ側からの給電に切り替わると、燃料電池４ｄが起動状態に至るまで蓄電池４ｇから給電を受けつつ当該給電を外部負荷６側に供給する。
【００４２】
なお、監視部４ｈ６は、商用電力系統２側の電圧喪失を検知してから予め設定された第１待機期間が経過した後に、停電が生じたと判定する。この構成のために、監視部４ｈ６が検知した商用電力系統２側の電圧喪失が瞬間的であって実質的な停電には該当し得ない場合に、燃料電池４ｄの起動が回避され得る。監視部４ｈ６は、商用電力系統２側の電圧復帰を検知してから予め設定された第２待機期間が経過した後に、復電したと判定する。
【００４３】
停止部４ｈ７は、燃料電池４ｄの起動（運転）を停止する。停止部４ｈ７は、燃料電池４ｄの起動（運転）の停止の指示として、停止信号を燃料電池４ｄに送出する。
【００４４】
図３を参照して、例示的実施形態に係る電力制御方法ＭＴについて説明する。電力制御方法ＭＴは、電力制御回路４ｈが実行する。電力制御方法ＭＴは、ステップＳ１〜Ｓ５，Ｓ５ａ，Ｓ６〜Ｓ１３を備える。
【００４５】
電力制御方法ＭＴは、外部負荷６側への給電が商用電力系統２側からの給電を用いて行われている場合から開始される。この場合、商用電力系統２側の交流電力がコンバータ４ｃから燃料電池４ｄ及び蓄電池４ｇに出力される。この交流電力は、燃料電池４ｄにスタンバイ給電されるとともに蓄電池４ｇにも給電される。蓄電池４ｇは、コンバータ４ｃの出力電圧に応じてある一定のState  Of  Charge (SOC)に保たれる。
【００４６】
まず、監視部４ｈ６は、停電センサ４ａにおいて得られる検出結果に基づいて商用電力系統２側の電圧を監視し、停電が生じたか否かを判定する（ステップＳ１）。ステップＳ１において、監視部４ｈ６は、停電センサ４ａの検出結果が商用電力系統２側の電圧喪失を示す場合であっても、この電圧喪失の継続期間が予め設定された期間（例えば10秒間）に満たない場合には、当該電圧喪失は実質的な停電には該当しない、と判定する。
【００４７】
停電は生じていなと監視部４ｈ６が判定すると（ステップＳ１；ＮＯ）、取得部４ｈ１は、デマンドレスポンスの発動予定時刻を取得したか否かを判定する（ステップＳ２）。発動予定時刻は取得されていないと取得部４ｈ１が判定した場合（ステップＳ２；ＮＯ）、燃料電池装置４及び蓄電池４ｇへの給電が継続され（ステップＳ３）、ステップＳ１に移行される。
【００４８】
ステップＳ２において、発動予定時刻は取得されたと取得部４ｈ１が判定した場合（ステップＳ２；ＹＥＳ）、開始部４ｈ２は、燃料電池４ｄの起動を開始する（ステップＳ４）。この場合、開始部４ｈ２は、デマンドレスポンスの発動予定時刻の取得に応じて、発動予定時刻に又は発動予定時刻の前に燃料電池４ｄが起動状態に至ることができるタイミングにおいて、燃料電池４ｄの起動を発動予定時刻の前に予め開始する。
【００４９】
このように、開始部４ｈ２は、発動予定時刻に基づき燃料電池４ｄを発動予定時刻の前に予め起動しておく。すなわち、開始部４ｈ２は、発動予定時刻をもとに燃料電池４ｄの起動期間Ｔ（燃料電池４ｄが起動を開始してから起動状態に至るまでの期間）を勘案して事前に燃料電池４ｄに起動信号を与え、燃料電池４ｄは起動を開始する。
【００５０】
例えば発動予定時刻が現在から60分後であって燃料電池４ｄの起動期間Ｔが20分間である場合に、現在から40分後に開始部４ｈ２が燃料電池４ｄに起動信号を送出する。
【００５１】
なお、発動予定時刻に到達するまでの間、燃料電池４ｄが停止しないように、調整部４ｈ５は、蓄電池４ｇの充電容量を予め調整している。例えば起動期間Ｔが20分間の場合、発動予定時刻に到達するまでの間、燃料電池４ｄが停止しないように、調整部４ｈ５がコンバータ４ｃ及び燃料電池４ｄの各々の出力電圧の調整（例えば、コンバータ４ｃの出力電圧を46［V］、燃料電池４ｄの出力電圧を52［V］に調整）を行う。この調整は、燃料電池４ｄが停止しない程度（燃料電池４ｄの出力電流が基準値を下回らない程度）に蓄電池４ｇの充電容量を残す。
【００５２】
燃料電池４ｄの出力電圧は、蓄電池４ｇの電圧（コンバータ４ｃの出力電圧）に比べて高く設定される。このため、燃料電池４ｄから蓄電池４ｇに給電が行われ、蓄電池４ｇが充電される。従って、発動予定時刻となり外部負荷６側への給電が燃料電池４ｄ側からの給電に切り替わるまでの間も、燃料電池４ｄの出力は継続することとなり、よって、デマンドレスポンスの発動に対し燃料電池４ｄは速やかに応答することが可能となる。
【００５３】
なお、上記のように、発動予定時刻に到達するまでの間に行われる蓄電池４ｇの充電においては、蓄電池４ｇが過充電とならないように蓄電池４ｇの充電容量が決定されることが必要になると共に燃料電池４ｄの出力電圧が燃料電池４ｄの入力電圧の許容範囲を上回らないように設計されることが必要となる。
【００５４】
ステップＳ４の後、受信部４ｈ３は、デマンドレスポンスの発動通知を受信したか否かを判定する（ステップＳ５）。受信部４ｈ３は、発動通知を受信していないと判定した場合（ステップＳ５；ＮＯ）、ステップＳ５ａに移行する。
【００５５】
ステップＳ５ａは、発動予定時刻になっても受信部４ｈ３が発動通知を受信しない場合に、タイマー制御を用いて燃料電池４ｄを停止させるステップである。ステップＳ５ａにおいて、停止部４ｈ７は、第３待機期間が終了したか否かを判定する（ステップＳ５ａ）。第３待機期間は、燃料電池４ｄを停止させずに発動通知の受信を待機する期間であり、予め設定された期間である。
【００５６】
一実施形態において、第３待機期間は、燃料電池４ｄの起動の開始から発動予定時刻に至るまでの期間（又は燃料電池４ｄの起動の開始から発動予定時刻に予め設定された時間を加えた期間）であり得る。例えば、第３待機期間は、燃料電池４ｄの起動の開始から、60分後の発動予定時刻に更に5分が加えられた65分後に至るまでの期間であり得る。
【００５７】
ステップＳ５ａにおいて、停止部４ｈ７は、第３待機期間が終了していないと判定した場合（ステップＳ５ａ；ＮＯ）、ステップＳ５に移行する。ステップＳ５ａにおいて、停止部４ｈ７は、第３待機期間が終了したと判定した場合（ステップＳ５ａ；ＹＥＳ）、燃料電池４ｄに停止信号を送出して燃料電池４ｄを停止し（ステップＳ６）、ステップＳ１に移行する。燃料電池４ｄが停止した後には、蓄電池４ｇはコンバータ４ｃの出力電圧に応じたSOCに到達するまで燃料電池４ｄに給電し、その後、コンバータ４ｃから燃料電池４ｄに給電する。
【００５８】
なお、発動予定時刻に至っても受信部４ｈ３が発動通知を受信しない場合、直流バス４ｉに接続されるコンバータ４ｃの出力電圧を調整部４ｈ５が調整して蓄電池４ｇの充電容量を適切に定めれば、ステップＳ５ａを用いずに燃料電池４ｄを停止させ得る。コンバータ４ｃ及び燃料電池４ｄの各々の出力電圧の調整を調整部４ｈ５が行えば蓄電池４ｇの充電容量は好適に残され得る。
【００５９】
例えば、コンバータ４ｃの出力電圧を48［V］に調整し、燃料電池４ｄの出力電圧を52［V］に調整する処理を調整部４ｈ５が行えば蓄電池４ｇの充電容量は好適に残され得る。燃料電池４ｄの起動が開始された後、蓄電池４ｇは48［V］から52［V］に至るまで燃料電池４ｄから充電される。
【００６０】
この場合、燃料電池４ｄが蓄電池４ｇを充電するのに要する充電期間Ｋは、コンバータ４ｃの出力電圧に基づいて一意に決まる。コンバータ４ｃの出力電圧が低いほど充電期間Ｋは長く、コンバータ４ｃの出力電圧が高いほど充電期間Ｋは短い。充電期間Ｋが燃料電池４ｄの既知の起動期間Ｔとなるように調整部４ｈ５がコンバータ４ｃ及び燃料電池４ｄの各々の出力電圧を調整すれば、上記したように、発動予定時刻に至っても受信部４ｈ３が発動通知を受信しない場合においてもステップＳ５ａの処理を用いずに燃料電池４ｄを停止させ得る。
【００６１】
ステップＳ５において、発動通知を受信したと受信部４ｈ３が判定した場合（ステップＳ５；ＹＥＳ）、切替部４ｈ４は、給電切替回路４ｆを駆動して外部負荷６側への給電を燃料電池４ｄ側からの給電に切り替える（ステップＳ７）。ステップＳ７の後、受信部４ｈ３は、デマンドレスポンスを解除する旨を示す解除通知を受信したか否かを判定する（ステップＳ８）。
【００６２】
ステップＳ８において、受信部４ｈ３は、解除通知を受信したと判定するまでステップＳ８の処理を繰り返す（ステップＳ８；ＮＯ）。ステップＳ８において、解除通知を受信したと受信部４ｈ３が判定した場合（ステップＳ８；ＹＥＳ）、切替部４ｈ４は、給電切替回路４ｆを駆動して外部負荷６側への給電を商用電力系統２側からの給電に切り替えて（ステップＳ９）、ステップＳ６に移行する。
【００６３】
ステップＳ１に戻って説明する。ステップＳ１において、停電が生じたと監視部４ｈ６が判定すると（ステップＳ１；ＹＥＳ）、開始部４ｈ２は燃料電池４ｄに起動信号を送出して燃料電池４ｄの起動を開始すると共に（ステップＳ１０）、切替部４ｈ４は給電切替回路４ｆを駆動して外部負荷６側への給電を燃料電池４ｄ側からの給電に切り替える（ステップＳ１１）。
【００６４】
監視部４ｈ６は、ステップＳ１において、商用電力系統２側の電圧喪失を検知してから予め設定された第１待機期間が経過した後に、停電が生じたと判定する。停電と判定するまでに監視部４ｈ６が予め設定された第１待機期間（例えば10秒）の経過を待つ理由は、実質的な停電に該当し得ない瞬停等の場合を除外するためである。
【００６５】
監視部４ｈ６が停電と判断した場合、切替部４ｈ４は、逆潮流防止回路４ｂを駆動して燃料電池４ｄ側を商用電力系統２側から切り離した後に、燃料電池４ｄに起動信号を送出する。この起動信号は、例えば接点信号であり得る。
【００６６】
燃料電池４ｄが起動するまでの間、蓄電池４ｇは、燃料電池４ｄに給電すると共に、燃料電池４ｄ、インバータ４ｅ及び無停電電源装置５を介して外部負荷６に給電する。燃料電池４ｄが起動を開始すると、燃料電池４ｄの出力電圧に達するまで燃料電池４ｄから蓄電池４ｇに給電（充電）すると共に、インバータ４ｅから無停電電源装置５を経由して外部負荷６に対して給電を行う。
【００６７】
ステップＳ１１の後、監視部４ｈ６は、復電したか否かを判定する（ステップＳ１２）。ステップＳ１２において、監視部４ｈ６は、復電したと判定するまでステップＳ１２の処理を繰り返す（ステップＳ１２；ＮＯ）。
【００６８】
ステップＳ１２において、復電したと監視部４ｈ６が判定すると（ステップＳ１２；ＹＥＳ）、切替部４ｈ４は、給電切替回路４ｆを駆動して外部負荷６側への給電を商用電力系統２側からの給電に切り替え（ステップＳ１３）、ステップＳ６に移行する。
【００６９】
監視部４ｈ６は、ステップＳ１２において、停電センサ４ａからの検出結果を用いて商用電力系統２側の電圧復帰を検出してから予め設定された第２待機期間（例えば10秒）が経過した後に、復電したと判定する。
【００７０】
復電と判定された場合、切替部４ｈ４は逆潮流防止回路４ｂを駆動して商用電力系統２側と燃料電池４ｄ側との接続を再びオンとし、停止部４ｈ７は燃料電池４ｄに停止信号を送出し、切替部４ｈ４は給電切替回路４ｆを駆動して外部負荷６側への給電を商用電力系統２側からの給電に切り替える。この構成を用いれば、商用電力系統２側から外部負荷６側に再び給電が行われる。
【００７１】
上記した構成の例示的実施形態に係る燃料電池装置４及び電力制御方法ＭＴによれば、デマンドレスポンスの発動予定時刻の取得に応じて燃料電池４ｄの起動を発動予定時刻の前に予め開始し、発動予定時刻に又は発動予定時刻の前には燃料電池４ｄが起動状態に至ることができる。従って、発動予定時刻には燃料電池４ｄが既に起動状態となっており、よって商用電力系統２側と燃料電池４ｄ側との間でデマンドレスポンスに応じた供給電力の切り替えがスムーズに行い得る。
【００７２】
このように上記した構成の例示的実施形態に係る電力制御回路４ｈ及び電力制御方法ＭＴによれば、電力会社から比較的に速い応答が求められる例えばFast  DRなどのデマンドレスポンスの要請にも良好に応えることが可能とる。また、燃料電池４ｄの起動期間Ｔに応じて必要となる蓄電池４ｇの容量を計算すれば、蓄電池４ｇの容量の最適化による低コスト化が可能となる。また、停電時にも無瞬断且つ長時間の交流電源バックアップが可能となる。
【００７３】
なお、上記実施形態の説明に用いたブロック図は、機能単位のブロックを示している。これらの機能ブロック（構成部）は、ハードウェア及びソフトウェアの少なくとも一方の任意の組み合わせを用いて実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７４】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７５】
例えば、本開示の一実施の形態における電力制御回路４Ｈなどは、本開示の電力制御方法の処理を行うコンピュータとして機能してもよい。図４は、本開示の一実施の形態に係る電力制御回路４ｈのハードウェア構成の一例を示す図である。上述の電力制御回路４ｈは、物理的には、プロセッサ１００１、メモリ１００２、ストレージ１００３、通信装置１００４、入力装置１００５、出力装置１００６、バス１００７などを含むコンピュータ装置として構成されてもよい。
【００７６】
なお、以下の説明では、「装置」という文言は、回路、デバイス、ユニットなどに読み替え得る。電力制御回路４ｈのハードウェア構成は、図に示した各装置を１つ又は複数含むように構成されてもよいし、一部の装置を含まずに構成されてもよい。
【００７７】
電力制御回路４ｈにおける各機能は、プロセッサ１００１、メモリ１００２などのハードウェア上に所定のソフトウェア（プログラム）を読み込ませることを用いて、プロセッサ１００１が演算を行い、通信装置１００４における通信を制御したり、メモリ１００２及びストレージ１００３におけるデータの読み出し及び書き込みの少なくとも一方を制御する等を用いて実現される。
【００７８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit：CPU）を用いて構成されてもよい。例えば、上述の取得部４ｈ１、開始部４ｈ２、受信部４ｈ３、切替部４ｈ４、調整部４ｈ５、監視部４ｈ６は、プロセッサ１００１を用いて実現されてもよい。
【００７９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、電力制御回路４ｈは、メモリ１００２に格納され、プロセッサ１００１において動作する制御プログラムを用いて実現されてもよく、他の機能ブロックについても同様に実現されてもよい。上述の各種処理は、１つのプロセッサ１００１を用いて実行される旨を説明してきたが、２以上のプロセッサ１００１を用いて同時又は逐次に実行されてもよい。プロセッサ１００１は、１以上のチップを用いて実装されてもよい。なお、プログラムは、電気通信回線を介してネットワークから送信されても良い。
【００８０】
メモリ１００２は、コンピュータ読み取り可能な記録媒体であり、例えば、Read  Only  Memory（ROM）、Erasable  Programmable  ROM（EPROM）、Electrically  Erasable  Programmable  ROM（EEPROM）、Random  Access  Memory（RAM）などの少なくとも１つを含んでいてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存し得る。
【００８１】
ストレージ１００３は、コンピュータ読み取り可能な記録媒体であり、例えば、Compact  Disc  ROM（CD-ROM）などの光ディスク、ハードディスクドライブ、フレキシブルディスク、光磁気ディスク(例えば、コンパクトディスク、デジタル多用途ディスク、Blu-ray（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００８２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex：FDD）及び時分割複信（Time  Division  Duplex：TDD）の少なくとも一方を実現するために、高周波スイッチ、デュプレクサ、フィルタ、周波数シンセサイザなどを含んでいてもよい。例えば、上述の受信部４ｈ３などは、通信装置１００４を用いて実現されてもよい。
【００８３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８４】
また、プロセッサ１００１、メモリ１００２などの各装置は、情報を通信するためのバス１００７に接続される。バス１００７は、単一のバスを用いて構成されてもよいし、装置間ごとに異なるバスを用いて構成されてもよい。
【００８５】
また、電力制御回路４ｈは、マイクロプロセッサ、デジタル信号プロセッサ（Digital  Signal  Processor：DSP）、Application  Specific  Integrated  Circuit（ASIC）、Programmable  Logic  Device（PLD）、Field  Programmable  Gate  Array（FPGA）などのハードウェアを含んでいてもよく、当該ハードウェアを用いて、各機能ブロックの一部又は全てが実現されてもよい。例えば、プロセッサ１００１は、これらのハードウェアの少なくとも１つを用いて実装されてもよい。
【００８６】
情報の通知は、本開示において説明した態様／実施形態に限られず、他の方法を用いて行われてもよい。例えば、情報の通知は、物理レイヤシグナリング（例えば、Downlink  Control  Information（DCI）、Uplink  Control  Information（UCI））、上位レイヤシグナリング（例えば、Radio  Resource  Control（RRC）シグナリング、Medium  Access  Control（MAC）シグナリング、報知情報（Master  Information  Block（MIB）、System  Information  Block（SIB）））、その他の信号又はこれらの組み合わせを用いて実施されてもよい。また、RRCシグナリングは、RRCメッセージと呼ばれてもよく、例えば、RRC接続セットアップ（RRC  Connection  Setup）メッセージ、ＲＲＣ接続再構成（RRC  Connection  Reconfiguration）メッセージなどであってもよい。
【００８７】
本開示において説明した各態様／実施形態は、Long  Term  Evolution（LTE）、LTE-Advanced（LTE-A）、SUPER  3G、IMT-Advanced、4th  generation  mobile  communication  system（4G）、5th  generation  mobile  communication  system（5G）、Future  Radio  Access（FRA）、new  Radio（NR）、W-CDMA（登録商標）、GSM（登録商標）、CDMA2000、Ultra  Mobile  Broadband（UMB）、IEEE  802.11（Wi-Fi（登録商標））、IEEE  802.16（WiMAX（登録商標））、IEEE  802.20、Ultra-WideBand（UWB）、Bluetooth（登録商標）、その他の適切なシステムを利用するシステム及びこれらに基づいて拡張された次世代システムの少なくとも一つに適用されてもよい。また、複数のシステムが組み合わされて（例えば、LTE及びLTE-Aの少なくとも一方と5Gとの組み合わせ等）適用されてもよい。
【００８８】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００８９】
本開示において基地局が行うとした特定動作は、その上位ノード（upper  node）が行うこともある。基地局を有する１つ又は複数のネットワークノード（network  nodes）を備えるネットワークにおいて、端末との通信のために行われる様々な動作は、基地局及び基地局以外の他のネットワークノード（例えば、MME又はS-GWなどが考えられるが、これらに限られない）の少なくとも１つが行い得ることは明らかである。上記において基地局以外の他のネットワークノードが１つである場合を例示したが、複数の他のネットワークノードの組み合わせ（例えば、MME及びS-GW）であってもよい。
【００９０】
情報等（※「情報、信号」の項目参照）は、上位レイヤ（又は下位レイヤ）から下位レイヤ（又は上位レイヤ）へ出力され得る。複数のネットワークノードを介して入出力されてもよい。
【００９１】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００９２】
判定は、1ビット（0又は1）を用いて行われてもよいし、真偽値（Boolean：true又はfalse）を用いて行われてもよいし、数値の比較（例えば、所定の値との比較）を用いて行われてもよい。
【００９３】
本開示において説明した各態様／実施形態は単独の構成として用いられてもよいし、組み合わせて用いられてもよいし、実行に伴って切り替えて用いられてもよい。また、所定の情報の通知（例えば、「Ｘであること」の通知）は、明示的に行う場合に限られず、暗黙的（例えば、当該所定の情報の通知を行わない）に行われてもよい。
【００９４】
以上、本開示について詳細に説明したが、当業者にとっては、本開示が本開示中に説明した実施形態に限定されないということは明らかである。本開示は、請求の範囲の記載に基づいて定まる本開示の趣旨及び範囲を逸脱することなく修正及び変更態様として実施し得る。したがって、本開示の記載は、例示説明を目的としており、本開示に対して何ら制限的な意味を有さない。
【００９５】
ソフトウェアは、ソフトウェア、ファームウェア、ミドルウェア、マイクロコード、ハードウェア記述言語と呼ばれるか、他の名称を用いて呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するために広く解釈されるべきである。
【００９６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line：DSL）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００９７】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせを用いて表されてもよい。
【００９８】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（Component  Carrier：CC）は、キャリア周波数、セル、周波数キャリアなどと呼ばれてもよい。
【００９９】
本開示において使用する「システム」及び「ネットワーク」という用語は、互換的に使用される。
【０１００】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスを用いて指示されてもよい。
【０１０１】
上述したパラメータに使用する名称はいかなる点においても限定的な名称ではない。さらに、これらのパラメータを使用する数式等は、本開示における明示的な開示内容と異なる場合もある。様々なチャネル（例えば、PUCCH、PDCCH等）及び情報要素は、あらゆる好適な名称を用いて識別できるので、これらの様々なチャネル及び情報要素に割り当てている様々な名称は、いかなる点においても限定的な名称ではない。
【０１０２】
本開示においては、「基地局（Base  Station：BS）」、「無線基地局」、「固定局（fixed  station）」、「NodeB」、「eNodeB（eNB）」、「ｇNodeB（gNB）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語を用いて呼ばれる場合もある。
【０１０３】
基地局は、１つ又は複数（例えば、３つ）のセルを収容できる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head：RRH）を用いて通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１０４】
本開示においては、「移動局（Mobile  Station：MS）」、「ユーザ端末（user  terminal）」、「ユーザ装置（User  Equipment：UE）」、「端末」などの用語は、互換的に使用され得る。
【０１０５】
移動局は、当業者が、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語を用いて呼ぶ場合もある。
【０１０６】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人のもとで動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのIoT（Internet  of  Things）機器であってもよい。
【０１０７】
また、本開示における基地局は、ユーザ端末と読み替えてもよい。例えば、基地局及びユーザ端末間の通信を、複数のユーザ端末間の通信（例えば、D2D（Device-to-Device）、V2X（Vehicle-to-Everything）などと呼ばれてもよい）に置き換えた構成について、本開示の各態様／実施形態を適用してもよい。この場合、上述の基地局が有する機能をユーザ端末が有する構成としてもよい。また、「上り」及び「下り」などの文言は、端末間通信に対応する文言（例えば、「サイド（side）」）を用いて読み替えられてもよい。例えば、上りチャネル、下りチャネルなどは、サイドチャネルと読み替えられてもよい。
【０１０８】
同様に、本開示におけるユーザ端末は、基地局と読み替えてもよい。この場合、上述のユーザ端末が有する機能を基地局が有する構成としてもよい。
【０１０９】
本開示において使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造を用いた探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１０】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含み得る。要素間の結合又は接続は、物理的な意味に用いられても良く、論理的な意味に用いられてもよく、或いはこれらの組み合わせであってもよい。例えば、「接続」は「アクセス」と読み替えられてもよい。本開示において使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考え得る。
【０１１１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１２】
本開示において使用する「第１」、「第２」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形のもとで第１の要素が第２の要素に先行しなければならないことを意味しない。
【０１１３】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１１４】
本開示において、例えば、英語でのa,  an及びtheのように、翻訳に起因して冠詞が追加された場合、本開示は、これらの冠詞の後に続く名詞が複数形であることを含んでもよい。
【０１１５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【符号の説明】
【０１１６】
１…電力制御システム、１００１…プロセッサ、１００２…メモリ、１００３…ストレージ、１００４…通信装置、１００５…入力装置、１００６…出力装置、２…商用電力系統、３…交流分電盤、４…燃料電池装置、４ａ…停電センサ、４ｂ…逆潮流防止回路、４ｃ…コンバータ、４ｄ…燃料電池、４ｄ１…電流センサ、４ｅ…インバータ、４ｆ…給電切替回路、４ｇ…蓄電池、４ｈ…電力制御回路、４ｈ１…取得部、４ｈ２…開始部、４ｈ３…受信部、４ｈ４…切替部、４ｈ５…調整部、４ｈ６…監視部、４ｈ７…停止部、４ｉ…直流バス、５…無停電電源装置、６…外部負荷、ＭＴ…電力制御方法。
【図１】
2020078159.tif 000003
【図２】
2020078159.tif 000004
【図３】
2020078159.tif 000005
【図４】
2020078159.tif 000006